(57)【要約】【課題】開閉可能な扉が外部の人や設備と干渉しない上に、内部に設置する什器や利用者の妨げにならない。【解決手段】ブース１は、四角形筒状を形成する側壁４Ａ、４Ｂ，４Ｃ、４Ｄで内部空間８を形成する。正面の側壁４Ａには、内部空間８に連通する出入口５を開閉可能なドア６を設けた。内部空間８内には側壁４Ｄ、４Ｃ、正面の側壁４Ａの壁面４ａに天板１０を固定した。天板１０の隣には、側壁４Ｂに沿ってソファ１１を設けた。ソファ１１の背もたれ１３の側壁４Ｂ側には切欠部１３ａを形成した。側壁４Ｂと背もたれ１３の切欠部１３ａとの間にドア６を収納する収納空間１５を設けた。ドア６は互いに直交する梁部３Ａと梁部３Ｂに設けたレール部に沿って角度を変えながら移動して出入口５と収納空間１５の間で開閉可能である。【選択図】図２
2020147984.tif 000002
【特許請求の範囲】
【請求項１】
内部空間を区画する側壁と、
前記側壁に設置されていて前記内部空間に連通する出入口を開閉可能な扉と、
前記内部空間に設置されていて前記側壁との間に開放された前記扉を収納する収納空間を設けた什器と、
を備えたことを特徴とするブース。
【請求項２】
前記収納空間は前記側壁と前記什器に形成した切欠部とによって形成されている請求項１に記載されたブース。
【請求項３】
前記什器は座部と背もたれを有する椅子であり、前記背もたれの背側に前記収納空間が設けられている請求項１または２に記載されたブース。
【請求項４】
前記什器は天板であり、前記天板に対向する前記側壁側に前記収納空間が設けられている請求項１または２に記載されたブース。
【請求項５】
前記側壁は、前記出入口が形成された第一の側壁と、前記第一の側壁と向きが異なる第二の側壁とを有し、
前記扉は、前記出入口を閉鎖した位置から前記収納空間に収納された位置まで、前記第一の側壁に沿って側方へスライドしつつ回転移動し、前記収納空間に収納された位置では、前記第二の側壁に沿うようにして配設されている請求項１から３のいずれか１項に記載されたブース。
【請求項６】
前記扉は伸縮可能なシャッタであり、前記出入口を閉鎖した位置で前記シャッタが伸張され、前記出入口を開放した位置で前記シャッタは収縮して前記収納空間に収納されている請求項１から３のいずれか1項に記載されたブース。
【請求項７】
前記収納空間には前記扉に接続された伸縮可能なスクリーンが収納されており、前記扉で前記出入口を閉鎖させた位置で、前記スクリーンが伸張して前記収納空間を遮蔽している請求項１から３のいずれか１項に記載されたブース。
【発明の詳細な説明】
【技術分野】
【０００１】
本発明は、側壁で区画された内部空間を有するブースに関する。
【背景技術】
【０００２】
従来、オフィスや展示場や公共施設等において、執務や打ち合わせ等を行うためのブースが設置されていることがある。特に、近年、オフィスのフリーアドレス化や携帯端末やパソコン等のＩＣＴ（情報通信技術）を活用したモバイルワークが進展している。そのため、各種の移動先で小スペースのブースを利用して１人または２人程度で執務や打ち合わせ等を行う機会が増加している。スモールオフィスとしても利用可能である。
【０００３】
このようなブースの一例として、例えば特許文献１に記載されたブース装置が提案されている。このブース装置は、オフィスや展示場等において周壁で仕切られた内部空間内に机とモニター等が設置され、１人の利用者が椅子に着座して単独で執務できるようになっている。
このブース装置は一人で集中作業を行う用途であるため、一人用のブースが提案されている。打ち合わせやミーティング、研修等を行うために２名用のブースも提案されている。このブース装置は周壁を構成する１つの壁に出入り口を設けて水平回転式やスライド式のドアを配置している。
【先行技術文献】
【特許文献】
【０００４】
【特許文献１】特開２０１４−３７６７１号公報
【発明の概要】
【発明が解決しようとする課題】
【０００５】
しかしながら、上述した特許文献１に記載されたブース装置はオフィスや公共施設等に設置されているため通行人が多く、外に開く水平回転式(開き戸式)ドアは通行人等に接触してしまうおそれがあった。一方、内側に開く水平回転式ドアでは、ブース装置の内部での椅子や机等の什器の設置位置が限定されてしまい。小型の空間からなるブース装置の利用価値を制限するという問題があった。
また、スライドドアを設置するとスライドドアの閉鎖位置と開放位置とでドア幅の２倍のスペースを必要とするため、小型のブース装置の幅を超える長さになってしまい、これも通行人や設備等に接触し易いという問題があった。
【０００６】
本願発明は、このような課題に鑑みてなされたもので、開閉可能な扉が外部の人や設備と干渉しない上に、内部に設置する什器や利用者の妨げにならないブースを提供することを目的とする。
【課題を解決するための手段】
【０００７】
本発明によるブースは、内部空間を区画する側壁と、側壁に設置されていて内部空間に連通する出入口を開閉可能な扉と、内部空間に設置されていて側壁との間に開放された扉を収納する収納空間を設けた什器と、を備えたことを特徴とする。
本発明によれば、扉の開閉作動時に内部空間内で側壁と什器との間の収納空間に扉を収納して出入口を開放するため、扉が外部に突出しない上に什器や利用者と干渉せず、利用者が内部空間で作業する際に快適性を確保できる。
【０００８】
また、収納空間は側壁と什器に形成した切欠部とによって形成されていることが好ましい。
什器の背部に切欠部を設けて側壁との間に収納空間を形成したため、内部空間での什器の設置スペースを制限せず、利用者が安全に作業できる。
【０００９】
また、什器は座部と背もたれを有する椅子であり、背もたれの背側に収納空間が設けられていてもよい。
また、什器は天板であり、天板に対向する側壁側に収納空間が設けられていてもよい。
【００１０】
また、側壁は、出入口が形成された第一の側壁と、第一の側壁と向きが異なる第二の側壁とを有し、扉は、出入口を閉鎖した位置から収納空間に収納された位置まで、第一の側壁に沿って側方へスライドしつつ回転移動し、収納空間に収納された位置では、第二の側壁に沿うようにして配設されていてもよい。
扉は開閉移動時に出入口と収納空間の間を回転しつつ移動するため、内部空間での利用者や什器と干渉することを防止できる。
【００１１】
また、扉は伸縮可能なシャッタであり、出入口を閉鎖した位置でシャッタが伸張され、出入口を開放した位置でシャッタは収縮して収納空間に収納されていてもよい。
開閉時におけるシャッタの伸縮による移動がスムーズであり、開閉動作を行い易い。
【００１２】
また、収納空間には扉に接続された伸縮可能なスクリーンが収納されており、扉で出入口を閉鎖させた位置で、スクリーンが伸張して収納空間を遮蔽していてもよい。
扉の開閉作動時にスクリーンを連動して伸縮させることができ、扉の閉鎖時に開放される収納空間を伸張したスクリーンで遮蔽できる。
【発明の効果】
【００１３】
本発明に係るブースによれば、内部空間に設置した什器を利用して執務等の作業を行うことが可能である。しかも、利用者の出入りのために扉を開放作動する際には扉を側壁と什器との間の内部空間に収納できるため扉がブースの外側に突出しないで邪魔にならず、しかも内部空間における什器の設置位置を規制しない上に利用者の安全を確保できる。
【図面の簡単な説明】
【００１４】
【図１】本発明の第一実施形態によるブースの斜視図である。
【図２】図1に示すブースの閉鎖状態を示す平面図である。
【図３】扉を開放したブースの斜視図である。
【図４】図３に示すブースの開放状態を示す平面図である。
【図５】ブースにおけるドアの開閉工程を示す説明図である。
【図６】第二実施形態によるブースの斜視図である。
【図７】図６に示すブースの閉鎖状態を示す平面図である。
【図８】ブースにおけるドアの開放状態を示す斜視図である。
【図９】図８に示すブースの平面図である。
【図１０】変形例によるブースのドアの開放状態の平面図である。
【図１１】第三実施形態によるブースのドアの閉鎖状態の平面図である。
【図１２】図１１に示すブースのドアの開放状態の平面図である。
【図１３】第四実施形態によるブースのドアの閉鎖状態の平面図である。
【図１４】図１３に示すブースのドアの開放状態の平面図である。
【発明を実施するための形態】
【００１５】
以下、本発明の各実施形態によるブースを添付図面に基づいて説明する。
図１乃至図５は、本発明の第一実施形態によるブース１を示すものである。
本実施形態によるブース１は、オフィスや公共施設等において床面上に設置された四角形筒状に形成されている。ブース１は四角形筒状の各角部に設置された４本の支柱２Ａ〜２Ｄと、隣接する２本の支柱２Ａ、２Ｂ、２Ｃ、２Ｄ同士を上端でそれぞれ連結する４本の梁部３Ａ〜３Ｄとを有している。隣接する２本の支柱２Ａ、２Ｂ、２Ｃ、２Ｄとその間の梁部３Ａ、３Ｂ、３Ｃ、３Ｄは面板状の側壁４Ａ〜４Ｄで互いに連結されている。
【００１６】
側壁４Ａ〜４Ｄは適宜の材質で形成できるが、本実施形態では、例えば側壁４Ａを正面の側壁４Ａとして、対向する側壁４Ｃは不透明な樹脂や鋼材、または木製板材からなる背面の側壁４Ｃとされている。背面の側壁４Ｃの両側の側壁４Ｂ、４Ｄは例えばガラス面とされている。正面の側壁４Ａは片側の一部に例えばガラス面からなる壁面４ａが設置され、残りの開口からなる出入口５に例えばガラス製のドア６がスライド移動して開閉可能に設置されている。ドア６には取っ手７が取り付けられている。なお、側壁４Ａ、４Ｂ、４Ｃ、４Ｄの上部には四角形状の梁部３Ａ、３Ｂ、３Ｃ、３Ｄからなる開口された天井部が形成されている。
【００１７】
ブース１は４枚の側壁４Ａ〜４Ｄで区画された略直方体形状または立方体形状の内部空間８を有している。内部空間８内には天板１０が側壁４Ｄ側に設置され、天板１０は側壁４Ｄに固定されている。天板１０は長手方向の両側端部が背面の側壁４Ｃと正面の側壁４Ａの壁面４ａにも固定されている。そのため、天板１０は側壁４Ｄ、４Ｃ、４Ａの壁面４ａの三面で固定されている。或いは、天板１０はその下側にブラケットを設けて側壁４Ｄに固定支持されていてもよいし、天板１０の下部に脚部を設けてもよい。
天板１０は平面視略長方形板状に形成されており、出入口５に被る角部が斜めに切り欠かれた傾斜部１０ｂを有している。傾斜部１０ｂは壁面４ａまで延びているが、出入口５からの利用者の出入りの妨げにならない。天板１０は背面の側壁４Ｃから正面の側壁４Ａの壁面４ａまで延ばすことができるため大型で広い天板面を設置できる。なお、天板１０は必ずしも正面の側壁４Ａの壁面４ａまで届かない長さにして小型化してもよい。この場合でも、天板１０は側壁４Ｄと背面の側壁４Ｃとの２面に連結されていることが強度的に好ましい。
【００１８】
また、天板１０と側壁４Ｂとの間にはソファ１１が背有り椅子として設置され、ソファ１１は座部１２と背もたれ１３とで断面略Ｌ字状に形成されている。ソファ１１の背もたれ１３が側壁４Ｂに近接する対向位置に設置されている。しかも、背もたれ１３には側壁４Ｂに沿って直線状に一部切り欠かれた切欠部１３ａが形成されている。そして、ソファ１１の背もたれ１３の切欠部１３ａと側壁４Ｂとの間にはドア６の収納空間１５が形成されている。収納空間１５は出入口５側に開口する小幅のスペースである。そのため、開放したドア６は収納空間１５に納められ、利用者側に移動しないため安全に作業できる。
【００１９】
次に、図５により、ドア６の開閉機構について説明する。
図２、図４及び図５において、出入口５を形成した正面の側壁４Ａの上部に設けた梁部３Ａと、側壁４Ｂの上部に設けた梁部３Ｂにはドア６の開閉のための走行をガイドするレール部１７が略Ｌ字状に設置されている。梁部３Ａには梁部３Ｂとの交差部に向けて略Ｊ字状に湾曲した第一レール部１７ａが設けられている。梁部３Ｂには第一レール部１７ａの先端に重なるように直線状の第二レール部１７ｂが設けられている。第一レール部１７ａの直線部と第二レール部１７ｂは互いに直交している。
【００２０】
そして、図５において、ドア６の上端部には第一車輪２０と第二車輪２１が固定されている。第一車輪２０は第一レール部１７ａに走行可能に装着され、第二車輪２１は第二レール部１７ｂに走行可能に装着されている。ドア６を閉鎖位置から開放位置に移動させる場合、第一車輪２０は第一レール部１７ａを走行し、第二車輪２１は第二レール部１７ｂを走行する。
なお、レール部１７は上部の梁部３Ａ及び３Ｂに設置し、ドア６の上端部に設けた第一車輪２０及び第二車輪２１でドア６を吊り下げ支持してもよい。或いは、レール部１７を床面にも設置して、ドア６の下端部にも設けた第一車輪２０及び第二車輪２１を走行させてもよい。また、ドア６の下端部に車輪を設けて自在に走行可能にしてもよい。
【００２１】
ドア６を閉鎖位置から開放位置に移動させる場合、ドア６は梁部３Ａに平行な姿勢から走行が進むに従って次第に角度を変位させられ、開放位置では第二レール部１７ｂと平行な姿勢に９０度角度を変位させられる。ドア６は開放位置では収納空間１５内に保持される。ドア６は閉鎖位置から開放位置に変位する際、出入口５から外側に一部が突出するが、その前に利用者が立って操作しているため通行人等の第三者や他の設備に干渉等の影響を与えない。また、開閉作動するドア６は側壁４Ｂ側で先端が僅かに突出するが、レール部１７によって収納空間１５の空間内に収めることができ、側壁４Ｂに干渉することはない。
また、開放位置から閉鎖位置に移動させるには、開放位置への走行と逆の走行を行うことになる。ドア６はスライド回転ドアである。
【００２２】
本実施形態によるブース１は上述の構成を有しており、次にその使用方法を説明する。
図１及び図２に示すブース１において、利用者が取っ手７を把持してドア６を閉鎖状態から開放移動させると、ドア６は第一車輪２０及び第二車輪２１がレール部１７の第一レール部１７ａ及び第二レール部１７ｂを走行する。これによってドア６は正面の側壁４Ａの出入口５から移動しながらその角度を次第に変位させる。そして、ドア６は出入口５から約９０度変位させられ、側壁４Ｂとソファ１１の背もたれ１３の切欠部１３ａとの間の収納空間１５に収められる。利用者は出入口５から内部空間８内に入った後、ドア６を閉鎖作動する。利用者はソファ１１に着座して天板１０を利用して執務等の作業を行える。
執務終了後には、ドア６を開閉作動することで利用者は出入口５からブース１を退出できる。
【００２３】
上述のように本第一実施形態のブース１によれば、ドア６を開放する際に、ドア６を側壁４Ｂとソファ１１の背もたれ１３の切欠部１３ａとの間の収納空間１５内に納めることができる。そのため、ドア６の開閉動作が内部空間８内のソファ１１や天板１０の設置スペースを制限しない。ブース１内に利用者がいてもドア６の開閉動作の際に接触することはなく安全であり、執務等の作業の邪魔にならない。ドア６を開閉作動する際、ドア６の先端が出入口５を通して外側に突出しても、通行人や他の設備等と干渉することを制限できる。
そのため、ブース１の内部空間８を大きくしなくても、ドア６がブース周囲の通行人や設備に与える影響を小さくでき、ブース１内での執務等の作業の快適性を確保できる。しかも、天板１０は側壁４Ｄ、４Ｃ、側壁４Ａの壁面４ａに固定されているため脚部が不要であり、ソファ１１に着座した利用者の足元のスペースを広くできる。
【００２４】
なお、本発明は上述の第一実施形態によるブース１に限定されることはなく、本発明の要旨を逸脱しない範囲で適宜の変更や置換等が可能であり、これらはいずれも本発明に含まれる。以下に、本発明の他の実施形態や変形例等について説明するが、上述した第一実施形態と同一または同様な部品や部材等には同一の符号を用いて説明を行う。
【００２５】
例えば、第一実施形態によるブース１の変形例として、ソファ１１に切欠部１３ａを設けずに、天板１０の背面側に切欠部を設けてこの切欠部と側壁４Ｄの間に収納空間を設けてもよい。この場合、正面の側壁４Ａにおいて、ソファ１１側に壁面４ａを設け、天板１０側に出入口５を設けるものとする。
そして、出入口５を開閉するドア６は天板１０の切欠部と側壁４Ｄの間の収納空間に収納可能とする。この場合、出入口５から利用者が出入りし易いように天板１０の長さを短くして、出入口５との間に空間を設けることが好ましい。
【００２６】
次に本発明の第二実施形態によるブース１Ａについて図６乃至図９により説明する。
本第二実施形態によるブース１Ａは、図６及び図７に示すように基本的に第一実施形態によるブース１と同一構成を有している。相違点として、ブース１Ａの正面の側壁４Ａには壁面４ａが形成されておらず、全面が出入口５を構成する。出入口５には開閉可能な２枚のドア６Ａ、６Ｂが設置されている。ドア６Ａ、６Ｂは左右両側に開閉可能なマジック扉である。
ブース１Ａの内部空間８内には天板１０とソファ１１が設置されている。ソファ１１の背もたれ１３には切欠部１３ａが形成され、側壁４Ｂと背もたれ１３の切欠部１３ａとの間にドア６Ｂの収納空間１５が形成されている。また、天板１０の背面側にも出入口５側に切欠部１０ａが形成され、天板１０の切欠部１０ａと側壁４Ｄとの間にはドア６Ａの収納空間１８が形成されている。ドア６Ａとドア６Ｂには、表面と裏面に取っ手１９ａ、１９ｂがそれぞれ設けられている。
【００２７】
本実施形態による一対のドア６Ａ、６Ｂは例えばそれぞれ上端面の外側端部に設けた回転軸(図示せず)を中心に略９０度回転することで外側に開き、対向する側壁４Ｂ，４Ｄと略平行な開放状態になる。そして、図８及び図９に示すように、ドア６Ａ，６Ｂを対向する側壁４Ｂ，４Ｄに沿って内部空間８内に押し込む。これによって、図８及び図９に示すように、一方のドア６Ａは天板１０の切欠部１０ａと側壁４Ｄとの間の収納空間１８内に押し込まれる。他方のドア６Ｂはソファ１１の切欠部１３ａと側壁４Ｂとの間の収納空間１５内に押し込まれる。
しかも、ドア６Ａ、６Ｂを左右両側に開いて押し込む構成にしたため、図９に示す開放時に正面の側壁４Ａから前方への飛び出しが小さいという利点もある。
【００２８】
なお、ドア６Ａ、６Ｂの収納空間１８、１５内への押し込み動作をスムーズにするために、回転軸の走行をガイドする溝部を上下面に設置することが好ましい。この状態で、ドア６Ａ，６Ｂは先端が出入口５から若干突出しているが、出入口５内に引っ込められていてもよい。
また、ドア６Ａ、６Ｂを閉鎖するには、収納空間１８、１５内にあるドア６Ａ、６Ｂの取っ手１９ａ、１９ｂをつかんで直線的に引き出し、その後、回転軸を中心に回転させて出入口５を閉じればよい。
【００２９】
次に、図１０は第二実施形態の変形例によるブース１Ｂである。
本変形例によるブース１Ｂでは天板１０だけが設置され、ソファ１１は設置されていない。そのため、一方のドア６Ａは天板１０の切欠部１０ａと側壁４Ｄとの間の収納空間１８内に出入りするが、他方のドア６Ｂは内部空間８内を側壁４Ｂに沿って出入りする。本変形例では、内部空間に広いスペースを確保できる。
また、これに代えて、内部空間８内にソファ１１を設置して天板１０を設置しない構成を採用してもよい。
【００３０】
次に本発明の第三実施形態によるブース１Ｃについて図１１及び図１２により説明する。
本第三実施形態によるブース１Ｃは、図１１及び図１２に示すように基本的に第二実施形態によるブース１Ａと同一構成を有している。相違点として次の構成が付加されている。即ち、本実施形態では、天板１０の切欠部１０ａの最奥部１０ａａと側壁４Ｄの間に設けた収納空間１８内に例えばアコーディオン式のスクリーン２２Ａが設置されている。このスクリーン２２Ａは例えば蛇腹式に折り畳みと引き伸ばしが可能であり、下端部にキャスターが取り付けられていてもよい。このスクリーン２２Ａはその一端部に設けた基部２３Ａを切欠部１０ａの最奥部１０ａａに固定している。スクリーン２２Ａの反対側端部は、ドア６Ａの後部に接続されている。
同様に、ソファ１１の切欠部１３ａの最奥部１３ａａとドア６Ｂの後端部の間にもスクリーン２２Ｂが設置されている。このスクリーン２２Ｂも切欠部１３ａの最奥部１３ａａに基部２３Ａが固定され、スクリーン２２Ｂの反対側端部はドア６Ｂの後部に接続されている。
【００３１】
そのため、ブース１Ｃにおいて、図１１に示すように、出入口５を一対のドア６Ａ、６Ｂで閉鎖した状態ではスクリーン２２Ａ、２２Ｂが収納空間１８、１５内で伸張して収納空間１８、１５を遮蔽している。この状態で、収納空間１８、１５内にごみ等が落ちるのを抑制すると共に内部空間８内の見栄えを良くしている。
また、図１２に示すように、ドア６Ａ，６Ｂを開放した状態では、ドア６Ａ，６Ｂは収納空間１８，１５内に収納され、スクリーン２２Ａ、２２Ｂはドア６Ａ、６Ｂと切欠部１０ａ、１３ａの最奥部１０ａａ、１３ａａとの間で折り畳まれている。この場合も収納空間１８、１５内にごみ等が落ちるのを抑制できる。
なお、スクリーン２２Ａ、２２Ｂに代えて布製等のカーテン等を設けてもよい。
【００３２】
次に本発明の第四実施形態によるブース１Ｄについて図１３及び図１４により説明する。
本第四実施形態によるブース１Ｄは、第二実施形態によるブース１Ａと同様に内部空間８内に天板１０とソファ１１が設置されている。天板１０に設けた切欠部１０ａと側壁４Ｄとの間に収納空間１８が設置されている。ソファ１１に設けた切欠部１３ａと側壁４Ｂとの間に収納空間１５が設置されている。そして、正面の側壁４Ａには全面に出入口５が形成され、出入口５には一対のアコーディオン式のシャッタ２５Ａ、２５Ｂが設置され、往復移動により開閉可能とされている。
【００３３】
一方のシャッタ２５Ａの一端部に固定された基部２６Ａは、天板１０の切欠部１０ａにおける最奥部１０ａａに固定されている。シャッタ２５Ａの他端部には開閉端部２７Ａが接続されており、開閉端部２７Ａと基部２６Ａの間には蛇腹状で伸縮可能なシャッタ面２８Ａが設けられている。他方のシャッタ２５Ｂも同一構成を備えている。即ち、シャッタ２５Ｂの一端部に設けられていてソファ１１の切欠部１３ａの最奥部１３ａａに固定される基部２６Ｂと、蛇腹状で伸縮可能なシャッタ面２８Ｂと、シャッタ２５Ｂの他端部に接続された開閉端部２７Ｂとを備えている。
そのため、ブース１Ｄの出入口５を閉鎖した状態では、図１３に示すように、シャッタ２５Ａとシャッタ２５Ｂはシャッタ面２８Ａ、２８Ｂが引き伸ばされて出入口５を閉鎖した開閉端部２７Ａ、２７Ｂが互いに当接している。ブース１Ｄの出入口５を開放する場合には、図１４に示すように、開閉端部２７Ａ、２７Ｂを開いて出入口５の両端における側壁４Ｄ，４Ｂと略平行に保持され、開閉端部２７Ａ、２７Ｂが出入口５からわずかに外側に突出している。
【００３４】
なお、上述した各実施形態において、ソファ１１や天板１０の切欠部１３ａ、１０ａの更に奥側の部分に電源コンセント等を設置してもよい。この場合、背もたれ１３や天板１０の下側に電源コードを延ばすことができる。そのため、内部空間８のスペースを有効利用できる。
また、什器として、上述した実施形態におけるソファ１１に代えて背もたれを有する木製や金属製等の椅子を設置してもよい。或いは、壁掛け式のディスプレイ等を設置してもよい。この場合、ディスプレイの背面側と側壁４Ｄとの間に収納空間を形成でき、ドア６、６Ａ、６Ｂ等を収納可能である。天板１０、ソファ１１、椅子等は什器に含まれる。また、ドア６、６Ａ、６Ｂは扉に含まれる。
また、上述した各実施形態によるブース１、１Ａ、１Ｂ、１Ｃ、１Ｄは執務用に限定されるものではなく、各種の作業を行う際に使用可能なブースに含まれる。
【符号の説明】
【００３５】
１、１Ａ、１Ｂ、１Ｃ、１Ｄ  ブース
４Ａ  正面の側壁
４Ｂ、４Ｄ  側壁
４Ｃ  背面の側壁
４ａ  壁面
５  出入口
６、６Ａ、６Ｂ  ドア
８  内部空間
１０  天板
１０ａ、１３ａ  切欠部
１１  ソファ
１３  背もたれ
１５、１８  収納空間
１７  レール部
２２Ａ、２２Ｂ  スクリーン
２５Ａ、２５Ｂ  シャッタ
【図１】
2020147984.tif 000003
【図２】
2020147984.tif 000004
【図３】
2020147984.tif 000005
【図４】
2020147984.tif 000006
【図５】
2020147984.tif 000007
【図６】
2020147984.tif 000008
【図７】
2020147984.tif 000009
【図８】
2020147984.tif 000010
【図９】
2020147984.tif 000011
【図１０】
2020147984.tif 000012
【図１１】
2020147984.tif 000013
【図１２】
2020147984.tif 000014
【図１３】
2020147984.tif 000015
【図１４】
2020147984.tif 000016